(57)【要約】【課題】            印刷紙葉類、特に各国の紙幣に関し、そのインクの特性に合わせて反応する特定された波長の光を使用する光学系のセンサー装置は存在していなかったという点、また、特に紙幣に関して、真贋をチェックした後、それを分納して整理する装置は複雑なものとなって部品点数も増え、大型化してしまいその分故障も多く、価格も高騰してしまうという点である。【解決手段】        相対向して印刷紙葉類の搬送路を形成するガイドの一方に複数の波長を有する発光素子群及び受光素子群を並設し、他方には前記発光素子群からの光を受ける受光素子群及び前記受光素子群に受光させる発光素子群を各々対向して設け、前記発光素子群のうち最内のものは紫外線発光素子とし、外側複数のものは赤色もしくは近赤色等の発光素子とするとともに、前記した紫外線発光素子の波長は３７０ｎｍ〜３８０ｎｍの範囲内のものとしたこととする。【選択図】          図４
2008257545.tif 000002
【特許請求の範囲】
【請求項１】
相対向して印刷紙葉類の搬送路を形成するガイドの一方に複数の波長を有する発光素子群及び受光素子群を並設し、他方には前記発光素子群からの光を受ける受光素子群及び前記受光素子群に受光させる発光素子群を各々対向して設け、前記発光素子群のうち最内のものは紫外線発光素子とし、外側複数のものは赤色もしくは近赤色等の発光素子とするとともに、前記した紫外線発光素子の波長は３７０ｎｍ〜３８０ｎｍの範囲内のものとしたことを特徴とする印刷紙葉類の真贋判定用センサー装置。
【請求項２】
印刷紙葉類の搬送路に前記した真贋判定用センサー装置を具備し、前記した搬送路の一次側に、複数枚の印刷紙葉類を重ねて落とし込み、スプリングで附勢された押圧プレートでその印刷紙葉類を抑える受入室を備え、その受入室に続けて前記スプリングの附勢力で印刷紙葉類が移行され、略直角に傾倒可能とした送り出し室を備え、その送り出し室から一枚づつ印刷紙葉類を搬送路へ搬出する手段を備えるとともに、搬送路の端末に真正のものと、不明のものを分離して収納する収納室を備えていることを特徴とする印刷紙葉類の整理収納装置。
【請求項３】
前記した分離しての収納は、各々スプリングで附勢された真正用、不明用の各受プレート間に双方へ移動可能とされた可動プレートを備えていることを特徴とする請求項２に記載の印刷紙葉類の整理収納装置。
【請求項４】
前記した可動プレートの両端は櫛歯状部とされ、その櫛歯状部は前記した受プレートの支持ブラケットに形成されたスリット間を通行することを特徴とする請求項３に記載の印刷紙葉類の整理収納装置。
【請求項５】
前記した受プレートは積層されている印刷紙葉類の中間部の撓みを防止するため、各々の収納室側へ向けて膨出されていることを特徴とする請求項２、請求項３または請求項４に記載の印刷紙葉類の整理収納装置。
【請求項６】
印刷紙葉類の搬送路に前記した真贋判定用センサー装置を具備し、前記した搬送路の端末に振り分け手段を備え、真正の印刷紙葉類は回転するベーン車に送り、そのベーン車から、そのベーン車に対し斜状に配置され、かつ、スプリングで附勢された受板に送るとともに、不明の印刷紙葉類はソレノイドやモータ等の駆動源で摺動する押圧板によりスタッカーへ収容することを特徴とする印刷紙葉類の整理収納装置。
【請求項７】
前記した搬送路の入口部分にあって搬送路に回転無端ベルトを用いて印刷紙葉類を送り込む機構を備え、その駆動ローラとベルトを掛け回される従動ローラが使用時に搬送路とベルトが直線状に並ぶよう前記した駆動ローラの軸を中心として回転移動可能とすることを特徴とする請求項６に記載の印刷紙葉類の整理収納装置。
【請求項８】
前記した印刷紙葉類の真贋判定用センサーを搬送路に具備した印刷紙葉類の整理収納装置であって、搬送系と収納系を各々別途のブロックとしてそれを相互に組み合わせ、搬送路へ送り込む印刷紙葉類の積層はカバーをオープンとして実施され、真正印刷紙葉類と不明印刷紙類はモータ等によって駆動する振り分けプレートによって各々のスタッカーへ分納されることを特徴とする印刷紙葉類の整理収納装置。
【請求項９】
前記した真正の印刷紙葉類のスタッカーには収容物の取出し確認用センサーを備え、不明印刷物のスタッカーには入庫確認用センサーを備えていることを特徴とする請求項８に記載の印刷紙葉類の整理収納装置。
【請求項１０】
前記した印刷紙葉類の整理収納装置であって、搬送路の端末を少なくとも三つに分岐させ、かつ、その分岐によって分納される印刷紙葉類を振り分けプレートで区分し、多種類の各々ごとに真正のものと不明のものを整理収納することを特徴とする請求項８または請求項９に記載の印刷紙葉類の整理収納装置。
【請求項１１】
前記した印刷紙葉類を送り込む積層セット部はアジャスターによって幅の調整が可能としてあることを特徴とする請求項２、請求項３、請求項４、請求項５、請求項６、請求項７、請求項８、請求項９または請求項１０に記載の印刷紙葉類の整理収納装置。
【請求項１２】
前記したアジャスターは方向性の異なるネジ山をもったネジ棒を底面が分割重合するケースに架け渡され、そのネジ棒の回転でケースの幅を変更するとともに、前記ネジ棒の中間にベルトを掛け回したプーリが備えられていることを特徴とする請求項１１に記載の印刷紙葉類の整理収納装置。
【発明の詳細な説明】
【技術分野】
【０００１】
本発明は印刷紙葉類、特に紙幣、それも我が国に限らず、中国、韓国、米国等の外国紙幣の真贋を判定するためのセンサー装置及びそのセンサー装置を組み入れた整理収納装置に関する。
【背景技術】
【０００２】
従来より、自動販売機、両替機、その他現金を取扱うシステムにあってはその紙幣の真贋を判定するセンサーが設けられており、このセンサーは紙幣に含有される磁気をチェックするものから、画像をチェックしたり、隠された文字や図柄をチェックするもの等が知られているが、近似は光を用いた光センサーが主流となってきている。
【０００３】
上記した光学系のセンサーは種々の波長の光を用いて、紙幣に反射あるいは透過させて、その光を受光して得られるデータを真正のデータと比較するものであるが、近時は紙幣を製作するためのインクも特殊なものが用いられ、特定の波長の光にのみ反応するようになっているケースも多く、この場合、その特定の波長の光を選定し、センサーとして利用することが精度のよい真贋判定には欠かせないものとなっている。
【０００４】
しかしながら、上記した特定の波長は贋札の作成を助長させるため一般には発表されるものではなく、繰り返しの実験により探索されるものとなる。加えて、この紙幣を多数枚、真贋をチェックして分納する整理装置は単一種類のものをはじめ、複数混在した状態ではその構成が複雑となり、サイズが大型化してしまい、また、その分故障も多く、製品価格も高騰してしまうものとなっていた。
【特許文献１】出願人は本願発明について、先行する技術文献を調査したが、格別に本願発明と関連し、類似すると思われる文献は発見することができなかった。
【発明の開示】
【発明が解決しようとする課題】
【０００５】
本発明が解決しようとする問題点は、印刷紙葉類、特に各国の紙幣に関し、そのインクの特性に合わせて反応する特定された波長の光を使用する光学系のセンサー装置は存在していなかったという点である。
【０００６】
また、特に紙幣に関して、真贋をチェックした後、それを分納して整理する装置は複雑なものとなって部品点数も増え、大型化してしまいその分故障も多く、価格も高騰してしまうという点である。
【課題を解決するための手段】
【０００７】
この問題点を解決するために、本発明に係る印刷紙葉類の真贋判定用センサー装置は相対向して印刷紙葉類の搬送路を形成するガイドの一方に複数の波長を有する発光素子群及び受光素子群を並設し、他方には前記発光素子群からの光を受ける受光素子群及び前記受光素子群に受光させる発光素子群を各々対向して設け、前記発光素子群のうち最内のものは紫外線発光素子とし、外側複数のものは赤色もしくは近赤色等の発光素子とするとともに、前記した紫外線発光素子の波長は３７０ｎｍ〜３８０ｎｍの範囲内のものとしたことを特徴としている。
【０００８】
また、本発明に係る印刷紙葉類の整理収納装置は印刷紙葉類の搬送路に前記した真贋判定用センサー装置を具備し、前記した搬送路の一次側に、複数枚の印刷紙葉類を重ねて落とし込み、スプリングで附勢された押圧プレートでその印刷紙葉類を抑える受入室を備え、その受入室に続けて前記スプリングの附勢力で印刷紙葉類が移行され、略直角に傾倒可能とした送り出し室を備え、その送り出し室から一枚づつ印刷紙葉類を搬送路へ搬出する手段を備えるとともに、搬送路の端末に真正のものと、不明のものを分離して収納する収納室を備えていることを特徴とし、前記した分離しての収納は、各々スプリングで附勢された真正用、不明用の各受プレート間に双方へ移動可能とされた可動プレートを備えていることを特徴とし、前記した可動プレートの両端は櫛歯状部とされ、その櫛歯状部は前記した受プレートの支持ブラケットに形成されたスリット間を通行することを特徴とし、前記した受プレートは積層されている印刷紙葉類の中間部の撓みを防止するため、各々の収納室側へ向けて膨出されていることを特徴としている。
【０００９】
さらに、本発明に係る印刷紙葉類の整理収納装置は印刷紙葉類の搬送路に前記した真贋判定用センサー装置を具備し、前記した搬送路の端末に振り分け手段を備え、真正の印刷紙葉類は回転するベーン車に送り、そのベーン車から、そのベーン車に対し斜状に配置され、かつ、スプリングで附勢された受板に送るとともに、不明の印刷紙葉類はソレノイドやモータ等の駆動源で摺動する押圧板によりスタッカーへ収容することを特徴とし、前記した搬送路の入口部分にあって搬送路に回転無端ベルトを用いて印刷紙葉類を送り込む機構を備え、その駆動ローラとベルトを掛け回される従動ローラが使用時に搬送路とベルトが直線状に並ぶよう前記した駆動ローラの軸を中心として回転移動可能とすることを特徴としている。
【００１０】
そして、本発明に係る印刷紙葉類の整理収納装置は前記した印刷紙葉類の真贋判定用センサーを搬送路に具備した印刷紙葉類の整理収納装置であって、搬送系と収納系を各々別途のブロックとしてそれを相互に組み合わせ、搬送路へ送り込む印刷紙葉類の積層はカバーをオープンとして実施され、真正印刷紙葉類と不明印刷紙類はモータ等によって駆動する振り分けプレートによって各々のスタッカーへ分納されることを特徴とし、前記した真正の印刷紙葉類のスタッカーには収容物の取出し確認用センサーを備え、不明印刷物のスタッカーには入庫確認用センサーを備えていることを特徴とし、前記した印刷紙葉類の整理収納装置であって、搬送路の端末を少なくとも三つに分岐させ、かつ、その分岐によって分納される印刷紙葉類を振り分けプレートで区分し、多種類の各々ごとに真正のものと不明のものを整理収納することを特徴としている。
【００１１】
また、本発明に係る印刷紙葉類の整理収納装置は前記した印刷紙葉類を送り込む積層セット部はアジャスターによって幅の調整が可能としてあることを特徴とし、前記したアジャスターは方向性の異なるネジ山をもったネジ棒を底面が分割重合するケースに架け渡され、そのネジ棒の回転でケースの幅を変更するとともに、前記ネジ棒の中間にベルトを掛け回したプーリが備えられていることを特徴としている。
【発明の効果】
【００１２】
本発明に係る印刷紙葉類の真贋判定用センサー装置及びそのセンサー装置を用いた印刷紙葉類の整理収納装置は上記のように構成されている。そのため、対象となる印刷紙葉類の搬送時に必要に応じてその両面から特定の波長の光を複数種用いて真贋のチェックを行なうため、特殊インクを用いた印刷紙葉類であっても精度よく、その真贋を判定することができることとなる。
【００１３】
また、その印刷紙葉類の整理収納装置もスペースを取らないコンパクトなものとし、しかも部品点数が少なくなって故障も減り、価格も低廉なものとして需要者に供給することができることとなる。
【発明を実施するための最良の形態】
【００１４】
図面として示し、実施例で説明したように構成することで実現した。
【実施例１】
【００１５】
次に、本発明の好ましい実施の例を図面を参照して説明する。図１は印刷紙葉類として特に紙幣、それも中国の元紙幣に対応させた紙幣の整理収納装置の機構を示す図、図２は同じく可動プレートもしくは受プレートの端部を示す部分平面図、図３は同じく噛み合せ状態を示す部分正面図、図４は同じくセンサー装置を示す概念図、図５は同じく第二の機構を示す図、図６は同じく第三の機構を示す図、図７は同じく第四の機構を示す図、図８は同じくアジャスト機構を示す図、図９は同じく第五の機構を示す図である。
【００１６】
これらの図にあって１は紙幣の整理収納装置を示している。この整理収納装置１は束ねられた紙幣をセットする受入室２が設けられており、図１に示す場合この受入室２は上部が開口されており、この開口から紙幣束を落とし入れることとなる。この受入室２には一方側にスプリング３で横方向に附勢された押圧板４が備えられ、この押圧板４によってセットされた紙幣束は略ボックス状をした送り出し部５へ押し付けられる。尚、図中スプリング３は一本を示しているが２〜３本のスプリング３を使用すると押圧力を押圧板４に対し、平均的に与えられる。
【００１７】
この送り出し部５はカバーとしても機能するもので、略９０度整理収納装置１の外方へ傾倒させ、後述する搬送路と直線状として紙幣を送り出すようにすることもできる。この送り出し部５には紙幣を一枚づつ送り出すための駆動ローラ６が臨まされており、搬出ローラ１６、ワンウェイクラッチ７及び一枚づつ捌くための送りローラ８によって紙幣は駆動ローラ６に沿ったガイド９へと送り出されていく。尚、このガイド９の部分には紙幣の通過を確認する光学系のセンサー１０、１０が備えられている。
【００１８】
前記した駆動ローラ６には転接ローラ１１が密接されており、ガイド９を通過した紙幣をこの転接ローラ１１と駆動ローラ６とで挟持回転して搬送路１２へと送り込む。この搬送路１２には通過する紙幣を挟むように一対の光学系の真贋判定用センサー装置１３が設けられている。
【００１９】
このセンサー装置１３は上側が発光素子部１３ａ、下側が受光素子部１３ｂとされているもので、各々二列に発光素子と、それに対応する受光素子が並べられたものとなっている。ここで、最もセンター寄りの部分の一列には紫外線の発光素子１３ｃ、１３ｃ及びその受光素子１３ｄ、１３ｄを配置してあり、ここで使用する紫外線の波長は中国の元紙幣に対応する３７０〜３８０ｎｍのものを特定独自のものとして使用する。
【００２０】
また、本実施例では発光素子及び受光素子はセンターラインを挟んで左右に三個づつ、それを二列の六個づつの配置とされており、その中間の素子は赤色もしくは近赤のもの、最外のものは近赤もしくは赤色のものという構成とし、紙幣のセンターから離れた部位のチェックを行なうものとなっている。即ち、図中１３ｅの発光素子は１３ｆの受光素子と対応する。図４にあって発光素子部１３ａは１８０度回転され、受光素子部１３ｂと対向し、その間を紙幣が通過することとなる。また、この図に示す実施例に限らず上側１３ａに発光素子のみならず、受光素子も並設し、下側１３ｂには上側の受光素子に受光させる発光素子を並設する構成とすることもでき、この場合、各素子の数も増量することができる。かかる構成とすることで、紙幣の表裏左右の四方向での走行に対応でき、しかも、表裏をチェックするため、従来は少なくとも二対のセットとしたセンサー装置をシンプルな一対構成とすることができ、コストも大きくダウンさせることができる。
【００２１】
さらに、前記した搬送路１２にはセンサー装置１３の二次側に二対の送りローラ１４、１４‥を配置し、真正紙幣と不明紙幣を分納して収納する収納室１５へと紙幣を送り込む。ここで、搬送路１２の末端はややせり上がった構成として、紙幣の通過に収納室１５へ入るに先立ってのブレーキをかけることができるものとしている。
【００２２】
この搬送路１２の末端は収納室１５の全体としての略中央部位へ臨まされており、その収納室１５の略中間部位には紙幣を受け入れる一対の支持ブラケット１６、１６が設けられ、紙幣はこの一対の支持ブラケット１６、１６の間に搬入される。また、この支持ブラケット１６、１６はその中央部分が大きく開口され、可動プレート１７の通行を許容するものとなっている。
【００２３】
収納室１５は支持ブラケット１６、１６及び可動プレート１７で仕切られて、本実施例にあって下方が真正の紙幣収納室１８、上方が不明の紙幣の収納室１９とされている。各収納室１８、１９には紙幣の受プレート２０、２０がコイルスプリング２１、２１で附勢されて備えられており、この受プレート２０、２０の各端部は初期状態で支持ブラケット１６、１６と当接したものとされている。
【００２４】
送り込まれてくる紙幣は前記したセンサー装置１３によって真贋を判定され、支持ブラケット１６、１６間に入るが、その紙幣の入る前に真正紙幣ならば可動プレート１７はやや上方へ移動しており、支持ブラケット１６、１６間に入った紙幣を下方の真正の紙幣収納室１８へ押し下げる。この作業によって紙幣はその両端を支持ブラケット１６、１６の端縁に擦りながら収納室１８へ移行され、受プレート２０と支持ブラケット１６、１６の間に挟持される。この動作を繰り返して、紙幣は積層されていくもので、不明紙幣の場合も収納室１９に対して同様の動作がなされ、この場合は下から順次積層されていくこととなる。
【００２５】
また、受プレート２０、２０は積層される紙幣の中間部がへたって、撓んでしまうことを防止するため、スプリング２１、２１の方向に向けて、中央部分を膨出させた形態としている。
【００２６】
さらに、支持ブラケット１６の内側端縁及び可動プレート１７の端縁は相互に位置をずらせた櫛歯状に構成されているもので、可動プレート１７の端縁突起１７ａ、１７ａ‥は支持ブラケット１６の突起１６ａ、１６ａによって形成されるスリット間を通行し、相互の衝突なく可動プレート１７が上下動することができるものとしている。また、この突起１６ａ、１７ａはともに下方に向けて屈曲されているもので、その噛合状態で紙幣はその上をスムーズに通行できるものとしている。
【００２７】
そして、収納室１５の上方には表示部２２が設けられている。この表示部２２には、真正紙幣の収納枚数表示部２３ａ、不明紙幣の収納枚数表示部２３ｂ及びその合計枚数の表示部２３ｃが設けられている。
【００２８】
また、その各表示部の下方にはパワースイッチ２４ａ、スタートスイッチ２４ｂのほか、リセットスイッチ２４ｃ及びプリンター２５の起動スイッチ２４ｄが設けられ、それらのスイッチと隣接して、対象となる紙幣の選択をするセレクトスイッチ２６ａ、２６ｂ、２６ｃ、２６ｄが設けられ、例えば中国の元紙幣ならば１００元、５０元、２０元、１０元と対応させてセレクトすることができる。なお、このセレクトはボタンスイッチのみならずメモリーカード等の使用も可能となり、このセレクトによって前記した受入室２の幅を紙幣に合わせて後述するアジャスト機構によってアジャストすることができるものとなっている。
【００２９】
一方、図５として示すのは紙幣の整理収納装置としての第二の例であり、この場合は縦型のものとなっている。上部に設けられた受入室２にセットされた紙幣Ｂは下方に向けて形成された搬送路１２に駆動ローラ６及びワンウェイクラッチ２７によって一枚づつ送られていく。この搬送路１２には前記したと同様のセンサー装置１３が設けられるが、本実施例の場合、このセンサー装置１３は左右に対向することとなる。
【００３０】
搬送路１２にはセンサー装置１３の二次側に一対の送りローラ１４、１４が設けられ紙幣Ｂを一枚づつ搬送する。また、この搬送路１２の末端には振り分け板２８が備えられており、センサー装置によって真贋を判定された紙幣をその判定結果によって左右方向へ振り分ける。真正と判定された紙幣Ｂは振り分け板２８の二次側に設けられた転接する大小の送りローラ２９ａ、２９ｂに挟持されて、回転するベーン車３０の各ベーン間の隙間へ搬入される。ベーン車３０の各ベーンは中心ドラムの外周にその接線方向に設けられているもので、紙幣Ｂがそのベーン車３０の下方へ巻き込まれて送られた位置で外方へ放出される。
【００３１】
前記したベーン車３０の下方には受板３１がスプリング３２で上方へ向けて附勢されて備えられている。この受板３１はベーン車３０に対し斜めに、換言すると紙幣Ｂを放出するベーンの向きと平行となるよう配置され、この受板３１上に放出された紙幣Ｂが順次一枚づつ回転するベーンによって押え付けられて積層されていくこととなる。
【００３２】
また、センサー装置１３によって不明と判定された紙幣Ｂは振り分け板２８によって方向を変えられ、不明紙幣用の収納室３３の上部へと導かれる。この収納室３３の上部には不明紙幣Ｂを受け入れる開口３４ａを形成した仕切板３４が設けられており、この開口３４ａに対し、ソレノイドあるいはモータ等の駆動源３５によって上下に可動する押圧板３６が出入自在に備えられている。不明紙幣Ｂは初期状態で仕切板３４より上方に位置される押圧板３６と仕切板３４の間へ入れられ、押圧板３６の下降によって収納室３３内へ落下されることとなる。
【００３３】
次に、図６として示すのは前記したベーン車３０を用いた機構を横方向にした場合のものである。この場合の受入室２はカバーを傾倒させて形成することも、予め設定されたタイプでもよい。駆動ローラ（プーリ）６には従動プーリ３７との間で無端ベルト３８が掛け回され、やや屈曲されて積層された受入室２内の紙幣Ｂは最下端のものから、この無端ベルト３８に乗せられ、搬送路１２へと搬送される。前記した従動プーリ３７は無端ベルト３８とともに、駆動ローラ３６を中心として回動され、不使用時には収納できるようにすることもできる。
【００３４】
搬送路１２には前記したセンサー装置１３が具備され、そのセンサー装置１３の二次側には二対の搬送ローラ１４、１４‥が備えられている。搬送路１２の末端はストレートにベーン車３０に臨まされているが、この搬送路１２の末端には振り分け板２８が備えられている。この振り分け板２８はベーン車３０に沿う弧状に形成されているもので、その後端部をソレノイドあるいはモータ等の駆動源３５で駆動され、スプリング３９を巻装された操作子４０で操作され、通常はその前端を想像線で示すように持ち上げた状態とされている。
【００３５】
センサー装置１３によって真正な紙幣と判定されると、振り分け板２８はその後端を操作子４０で押され、前端を持ち上げ、搬送路１２の末端を開放して、その真正の紙幣Ｂをベーン車３０のベーン間に送り込む。ベーン車３０は矢印方向に回転し、スプリング３２で附勢された受板３１上に順次一枚づつ積層されていくこととなる。
【００３６】
また、センサー装置１３によって不明と判定されると、操作子４０が引き上げられ、振り分け板２８は送りローラ２９の一次側に設けられている断面Ｌ字状をしたガード部４１にその先端を入れる状態に回動下降される。この状態で不明の紙幣Ｂは振り分け板２８の上面へガイドされていき、再び振り分け板２８の先端が持ち上げられる回動動作によって収納室３３内へ送り込まれることとなる。また、ガード部４１の存在によって不明紙幣が振り分け板２８の下方に誤って入ってしまうことが防止される。
【００３７】
また、図７として示すのは紙幣の搬送系と収納系を独立ブロックとしてユニットとして組み合わせすることもできる例である。受入室２は使用時にカバーをオープンして設定されるもので、この例にあっては設定の完了を示すパイロットランプとしてＬＥＤ４２が設けられている。この例でも駆動ローラ（プーリ）６には従動プーリ３７との間で無端ベルト３８が掛け回されており、不使用時にはこの従動プーリ３７は無端ベルト３８と共に回動してケーシング内に収容されるようになっている。尚、この例にあって４３として示すスペースはプリント回路基板等の収容部とされている。
【００３８】
一方、収納室１５は第一例と同様に下方が真正の紙幣用収納室１８、上方が不明の紙幣の収納室１９とされ、上方に表示部２２が設けられているが、この例ではさらに５元用のセレクトスイッチ２６ｅも設け、さらに、そのセレクトスイッチ自体もしくは対応するＬＥＤを設け、何が選択されているかを示す照光を設けることができるものとしている。
【００３９】
収納室１５の略中間位置には一対の支持ブラケット４４ａ、４４ｂが設けられ、搬送路１２を搬送されてきた紙幣はこの一対の支持ブラケット４４ａ、４４ｂ間に導入される。支持ブラケット４４ａ、４４ｂは各々中央部が開口されているもので、その開口間をモータ駆動される振り分け板４５が上下動して通行するようになっている。また、各収納室１８、１９内には各々スプリング２１、２１で支持ブラケット４４ａ、４４ｂ方向へ附勢された受プレート２０、２０が設けられ各受プレート２０、２０の端部は初期状態で支持ブラケット４４ａ、４４ｂと当接するものとなっている。
【００４０】
前記した振り分け板４５はセンサー装置１３による判定に応じて上下のいずれかに動くもので、紙幣は各々受プレート２０と支持ブラケット４４ａもしくは４４ｂとの間に挟持され順次積層されていく。なお、支持ブラケット４４ａには収納された真正紙幣の取り出し確認、即ち空になったことを確認するセンサー４６が、支持ブラケット４４ｂには不明の紙幣が入庫したことを確認するセンサー４７が具備されている。
【００４１】
さらに、図９として示すのは、受入室２に複数の紙幣を混在させ、その一枚づつの真贋判定を行い、各金種ごとに真贋に分納する場合である。従って、この例にあっては受入室２には複数の金種が混在された状態での紙幣がセットされることとなる。この例にあっても受入室２のカバーをオープンさせることで使用される構成となっており、駆動ローラ（プーリ）６は従動プーリ３７との間で無端ベルト３８が掛け回され、不使用時にはケーシング内に従動プーリ３７と無端ベルト３８は収容される構成となっている。
【００４２】
搬送路１２には前記したセンサー装置１３が具備されているが、この例にあってセンサー装置１３は上側となる１３ａと下側となる１３ｂに各々発光素子と受光素子とを市松状に備え、搬送される紙幣の表裏におけるチェック及び真贋に加え、金種のチェックを行なうことができる構成としてある。また、この場合紙幣を長手方向のみならず短手方向で送ることも可能で、短手方向で送った場合、表裏及び左右入変の４方向におけるチェックを可能としている。
【００４３】
また、この例における搬送路には末端近傍が本実施例にあっては該搬送路１２がストレートに延設された搬路に加え、二つの分岐路４８ａ、４８ｂを備え、計三つに分岐された構成となっている。そして、この各分岐路４８ａ、４８ｂ及びストレートな搬送路１２の延長に対する金種別の誘導は複数個のソレノイドあるいはモータによって実行される。
【００４４】
さらに、図中４９は本例に紙幣の収納ボックスで、この収納ボックス４９は内部が二枚の仕切板５０、５０によって三つの収納室４９ａ、４９ｂ、４９ｃに分割されている。そして、前記した分岐路４８ａ、４８ｂ等はこの各収納室４９ａ、４９ｂ、４９ｃに対し、各々連通されている。また、収納ボックス４９はユニットとして搬送系とジョイントしてもよいし、当初より一体型のものであってもよい。
【００４５】
各収納室４９ａ、４９ｂ、４９ｃ内には図９では格別に図示していないが、図７で示したと同様に各々支持ブラケット４４ａ、４４ｂ及びスプリングで附勢された受プレートが設けられ、各々導入されてきた紙幣を振り分ける振り分け板４５が備えられている。
【００４６】
即ち、三つの収納室４９ａ、４９ｂ、４９ｃはさらにその内部で二種に分納することができるため、計六種類の金種を分納することができ、中国紙幣や米国のドル紙幣等に適応することができ、四種の紙幣を分納する場合、そのうちの二種を真正のものと不明のものとに分け整理収納するようにすることもできる。
【００４７】
さらに、前記した受入室２における各紙幣に対応しての幅のアジャストは例えば図８として示すような構成で実行することができる。受入室２は底面が上下に重合して拡縮を可能としたケーシング５１によって形成されており、そのケーシング５１の対向する側壁に中央部分で方向が変更されるネジ山をもったネジ棒５２が架設されており、そのネジ棒５２の中央に従動プーリ３７が取り付けられている。この従動プーリ３７には前記したように無端ベルト３８が駆動ローラ（プーリ）６との間で掛け回されている。
【００４８】
ここで、対象とする金種のセレクトがなされると、そのセレクトに応じてネジ棒５２が回転し、ケーシング５１を拡げたりもしくは縮めたりすることで、該金種紙幣の幅に対応してケーシング５１の幅をアジャストし、受入室２内において紙幣の密なセットを行なうことができるものとしている。
【産業上の利用可能性】
【００４９】
本発明に係る印刷紙葉類の真贋判定用センサー装置及びそのセンサー装置を用いた印刷紙葉類の整理収納装置は上記のように構成されている。実施例にあっては対象とする印刷紙葉類は外国紙幣としたがこれにこだわるものではなく日本国紙幣やその他商品券、チケット類、宝くじ券等の印刷紙葉類に対しても幅広く応用実施をすることができる。
【図面の簡単な説明】
【００５０】
【図１】印刷紙葉類として特に紙幣、それも中国の元紙幣に対応させた紙幣の整理収納装置の機構を示す図である。
【図２】可動プレートもしくは受プレートの端部を示す部分平面図である。
【図３】噛み合せ状態を示す部分正面図である。
【図４】センサー装置を示す概念図である。
【図５】第二の機構を示す図である。
【図６】第三の機構を示す図である。
【図７】第四の機構を示す図である。
【図８】アジャスト機構を示す図である。
【図９】第五の機構を示す図である。
【符号の説明】
【００５１】
１    紙幣の整理収納装置
２    受入室
３    スプリング
４    押圧板
５    送り出し部
６    駆動ローラ（プーリ）
７    ワンウェイクラッチ
８    送りローラ
９    ガイド
１０  センサー
１１  転接ローラ
１２  搬送路
１３  センサー装置
１４  送りローラ
１５  収納室
１６  支持ブラケット
１７  可動プレート
１８  収納室
１９  収納室
２０  受プレート
２１  スプリング
２２  表示部
２３ａ  真正紙幣の収納枚数表示部
２３ｂ  不明紙幣の収納枚数表示部
２３ｃ  合計枚数表示部
２４ａ  パワースイッチ
２４ｂ  スタートスイッチ
２４ｃ  リセットスイッチ
２４ｄ  プリンタースイッチ
２５  プリンター
２６ａ  セレクトスイッチ
２６ｂ  セレクトスイッチ
２６ｃ  セレクトスイッチ
２６ｄ  セレクトスイッチ
２６ｅ  セレクトスイッチ
２７  ワンウェイクラッチ
２８  振り分け板
２９ａ  送りローラ
２９ｂ  送りローラ
３０  ベーン車
３１  受板
３２  スプリング
３３  収納室
３４  仕切板
３５  駆動源
３６  押圧板
３７  従動プーリ
３８  無端ベルト
３９  スプリング
４０  操作子
４１  ガード部
４２  ＬＥＤ
４３  収容部
４４ａ  支持ブラケット
４４ｂ  支持ブラケット
４５  振り分け板
４６  センサー
４７  センサー
４８ａ  分岐路
４８ｂ  分岐路
４９  収納ボックス
４９ａ  収納室
４９ｂ  収納室
４９ｃ  収納室
５０  仕切板
５１  ケーシング
５２  ネジ棒
Ｂ    紙幣
【図１】
2008257545.tif 000003
【図２】
2008257545.tif 000004
【図３】
2008257545.tif 000005
【図４】
2008257545.tif 000006
【図５】
2008257545.tif 000007
【図６】
2008257545.tif 000008
【図７】
2008257545.tif 000009
【図８】
2008257545.tif 000010
【図９】
2008257545.tif 000011